(57)【特許請求の範囲】
【請求項１】
缶やボトル等の飲食容器(44)を挿脱自在に挿入せしめる上部開口状の筒状容器本体(1)と、該容器本体の内部において飲食容器の底部を支持する支持ガイド板(2)と、該支持ガイド板の下方に設けられた触媒ヒータ(30)とから成り、飲食容器の外周面と容器本体の内周面の間に通気空隙(45)を形成せしめるように構成した保温器であり、
前記触媒ヒータ(30)は、少なくとも表面に触媒を設けた多数の通孔を上下貫通状に形成した加熱体(3)と、気化状態で前記加熱体を通過する際に触媒により酸化発熱反応する反応剤(41)を保有するカセット容器(7)とから構成され、
前記支持ガイド板(2)は、熱伝導板により構成され、飲食容器の底部を支持する支持板部(14)と、該支持板部から下向きに凹入されると共に直径方向に延びるガイド溝部(15)を形成し、該ガイド溝部(15)に加熱体(3)の上部を臨ましめる窓孔(16)を開設しており、
触媒ヒータ(30)の加熱体(3)から前記ガイド溝部(15)を介して前記通気空隙(45)に至る熱気通路(47)を形成せしめて成ることを特徴とする飲食容器の保温器。
【発明の詳細な説明】
【０００１】
【発明の属する技術分野】
本発明は、缶入り紅茶又は缶入りコーヒや、ペットボトル入り緑茶、その他に見られるような缶やボトル等の飲食容器を保温状態に維持するための保温器に関する。
【０００２】
【従来の技術】
自動販売機や店頭で販売される飲食物入りの缶やボトル等の容器は、飲食物の種類に応じ、保温状態で販売されているものがある。然しながら、このような飲食物は、購入後、容器と共に短時間で冷めてしまうという問題がある。
【０００３】
また、保温状態でなく常温又は冷却状態で販売されているものに関しては、簡便に温める手段がないため、温めた状態で飲食できないという問題がある。
【０００４】
【発明が解決しようとする課題】
この点に関して、飲食容器を保温状態で維持するための断熱袋が提供されている。然しながら、保温時間を暫く延ばすことはできても、保温状態を長時間にわたり維持することができない。
【０００５】
このため、熱源を備えた保温器の提供が望まれているところであるが、携帯に便利な保温器を提供するためには、種々の解決すべき課題がある。例えば、熱源として電熱ヒータを使用する場合は、バッテリの電力を短時間で消費してしまうという問題がある。一方、熱源として燃料を燃焼する火力ヒータを使用する場合は、火災の危険を伴うという問題がある。
【０００６】
ところで、本発明者は、保温器の熱源として、表面に触媒を設けた加熱体に対して反応剤を気化状態で通過せしめた際に酸化発熱反応する触媒ヒータを採用することが有利であることを知見した。このような触媒ヒータのそれ自体は、例えば、特公平１−１５２４８号公報に示される蚊取り器や、特開２０００−５１０８６号公報に示されるコンロに使用されているように公知である。
【０００７】
然しながら、本発明者の実験によれば、このような触媒ヒータを飲食容器の保温器のための熱源として使用する場合、次のような種々の問題が知得された。
（１）缶やボトル等の飲食容器を保温状態に維持する保温器を提供するに際しては、飲食容器を挿脱自在に挿入せしめる上部開口状の筒状容器本体を構成することが望ましい。ところが、このような容器本体に触媒ヒータを内装することにより飲料容器の底部を加熱する場合、触媒ヒータが概ね閉塞された空間内に配置されるので、反応剤の気化効率と触媒に対する通過効率が悪く、十分な酸化発熱を得られない。従って、この点の問題を解決すべき課題がある。
（２）飲食容器は、加熱されると結露による水滴を生じ、底部から水滴を滴下する。そして、水滴が触媒ヒータの表面に付着すると酸化発熱反応が妨げられるので、必要な発熱を得られない。従って、このような問題を解決しなければならないという課題がある。
（３）反応剤の気化効率と触媒に対する通過効率を良くするためには、触媒ヒータの下方に位置して筒状容器本体の周面にエア導入孔を設けることが望ましいが、この場合、保温器を屋外で使用する際に強い横風を受けると、反応剤の気化せしめられたガスが横向きに吹き飛ばされてしまい、触媒ヒータによる必要な発熱を得られない。従って、このような問題を解決すべき課題がある。
（４）その他、保温器は、消費者が自動車等の車両における車内で使用可能とすることが望ましく、車内の適所に保持可能な構成とすることが求められるため、この点の構成に関する課題がある。
【０００８】
【課題を解決するための手段】
そこで、本発明が手段として構成したところは、缶やボトル等の飲食容器を挿脱自在に挿入せしめる上部開口状の筒状容器本体と、該容器本体の内部において飲食容器の底部を支持する支持ガイド板と、該支持ガイド板の下方に設けられた触媒ヒータとから成り、飲食容器の外周面と容器本体の内周面の間に通気空隙を形成せしめるように構成した保温器であり、前記触媒ヒータは、少なくとも表面に触媒を設けた多数の通孔を上下貫通状に形成した加熱体と、気化状態で前記加熱体を通過する際に触媒により酸化発熱反応する反応剤を保有するカセット容器とから構成され、前記支持ガイド板は、熱伝導板により構成され、飲食容器の底部を支持する支持板部と、該支持板部から下向きに凹入されると共に直径方向に延びるガイド溝部を形成し、該ガイド溝部に加熱体の上部を臨ましめる窓孔を開設しており、触媒ヒータの加熱体から前記ガイド溝部を介して前記通気空隙に至る熱気通路を形成せしめて成る点にある。そして、本発明に付加される種々の実施形態によれば、前述した課題を悉く解決できる。
【０００９】
【発明の実施の形態】
以下図面に基づいて本発明の好ましい実施形態を詳述する。
【００１０】
図１に示すように、保温器は、缶やボトル等の飲食容器を挿脱自在に挿入せしめる上部開口を有する円筒状の容器本体１と、該容器本体１の内部において飲食容器の底部を支持する支持ガイド板２と、該支持ガイド板２の下方に設けられた触媒ヒータとしての加熱体３と、該加熱体３を保持するガイドスリーブ４と、該ガイドスリーブ４を保持する保持筒５と、後述するような触媒ヒータユニットを構成せしめるためのユニット板６と、反応剤を保有するカセット容器７と、容器本体１の下端縁に着脱自在にネジ結合されるネジ部８を備えた固定リング９とから構成されており、その他、必要に応じて、アタッチメントとしての保護リング１０、吊持用保持具１１、載置用保持具１２を備えている。
【００１１】
図２（Ａ）に示すように、支持ガイド板２は、容器本体１に内装可能とされたほぼ円形の金属板等から成る熱伝導板により形成され、ほぼ全面にわたり多数の貫通孔１３を開設している。図例の場合、パンチングメタルシートにより形成しているが、ネットにより形成しても良い。支持ガイド板２は、容器本体１に挿入された飲食容器の底部を支持する支持板部１４、１４と、該支持板部から下向きに凹入されると共に直径方向に延びるガイド溝部１５を形成しており、ガイド溝部１５の両端を開放すると共に、ほぼ中央部に窓孔１６を開設している。
【００１２】
加熱体３は、少なくとも表面に白金等の触媒を設けると共に多数の通孔を上下貫通状に形成しており、保持板１７を固着している。保持板１７は、一対の翼部１８、１８の対向部から垂設された爪片１９により加熱体３を抱持固着しており、各翼部１８の翼端から折返片２０を折曲形成すると共に、各折返片２０から折曲された下向きの挿着片２１を備えている。そこで、図２（Ｂ）に示すように、加熱体３は、保持片１７を介して支持ガイド板２に取付固着される。即ち、一対の翼部１８、１８と折返片２０、２０により支持ガイド板２の支持板部１４、１４を上下から挟持し、支持板部１４を挟む翼部１８と折返片２０の３者を貫通カシメ孔によるカシメ固着手段又はリベット等の軸着手段等から成る固着手段２２により固着し、この状態で、加熱体３の上部を窓孔１６に臨ましめられる。
【００１３】
ガイドスリーブ４は、図２（Ｂ）に示すように、加熱体３を上方から挿入自在とする収納室２３を形成した筒部２４を構成し、筒部２４の上部フランジ２５に挿着片２１、２１を挿着せしめる挿着孔２６、２６を設けている。収納室２３の内周壁には、上下方向に延びるリブ状の凹凸２７が多数形成されており、筒部２４の周面には内外を貫通する多数の小孔２８が形成されている。
【００１４】
図２（Ｂ）に示す吸湿シート２９は、不織布又は紙等から成り、支持ガイド板２におけるガイド溝部１５の溝底部に載置可能とされる。
【００１５】
保持板１７を介して支持ガイド板２を固着した加熱体３は、保持板１７の挿着片２１、２１をガイドスリーブ４の挿着孔２６、２６に挿着することにより、図３に示すように、加熱体３を収納室２３に収納せしめた状態でガイドスリーブ４と一体化される。この状態でガイドスリーブ４は保持筒５に挿入され、保持筒５の下端縁はユニット板６に嵌着され、ユニット板６に対して着脱自在なカセット容器７を含み、触媒ヒータユニット３０を構成する。
【００１６】
図例の場合、ガイドスリーブ４を保持筒５に挿入した状態で、ガイドスリーブ４の外周面に設けた耳部３１が保持筒５の切欠部３２に嵌入されるように構成されており、保持筒５の下端から挿出したガイドスリーブ４の下フランジ３３がユニット板６の中心孔３４の周縁に着脱自在に嵌着される。
【００１７】
ユニット板６は、概ね環状に形成されており、中心孔３４と同心円状に延びるリブ３５を形成すると共に、直径方向に対向して配置された着脱孔３６、３６をリブ３５に臨ましめて形成しており、該着脱孔３６、３６に近傍するリブ３５の上面に傾斜面３７を形成している。これに対して、カセット容器７は、前記中心孔３４に臨ましめられる開放口縁３８を設けると共に、該開放口縁３８の周囲において、前記着脱孔３６、３６に挿脱自在に挿入されるほぼＬ形の鉤部３９、３９を立設している。従って、鉤部３９、３９を着脱孔３６、３６に挿入した状態で、カセット容器７を軸回りに正転すると、鉤部３９、３９がリブ３５の傾斜面３７に沿って上昇することにより、カセット容器７をユニット板６に対して離脱不能に固定し、開放口縁３８をガイドスリーブ４の収納室２３に連通せしめる。この状態から、カセット容器７を軸回りに逆転すると、鉤部３９、３９がリブ３５の傾斜面３７に沿って下降すると共に、着脱孔３６、３６から脱出し、これによりカセット容器７をユニット板６から取外し自在とする。尚、ユニット板６の環状部には多数の通孔４０が形成されている。
【００１８】
カセット容器７は、内部にアルコール等の反応剤４１を収容しており、例えば、内部に設けた海綿体に液体アルコールを含浸せしめた構成とされ、保管時には図１に示すようなキャップ７ａにより開放口縁３８を密閉する。図示省略しているが、液体アルコールから成る反応剤を貯蔵する携帯自在な貯蔵容器が準備されており、カセット容器７の反応剤４１が欠乏したときは、随意、貯蔵容器からカセット容器７の内部に反応剤を補給することが可能である。
【００１９】
上記のようにして構成された触媒ヒータユニット３０は、図４に示すように、容器本体１の底部開口から内部に挿入され、固定リング９により固定される。即ち、固定リング９のネジ部８を容器本体１の底部開口縁に螺入すると、ユニット板６の周縁が該固定リング９と容器本体１の内周段部４２により挟持される。
【００２０】
図１及び図４に示すように、容器本体１は、上部開口を含む上端近傍部に広口部４３を形成しており、該広口部４３により内径及び外径を拡径せしめている。容器本体１に上部開口から飲食容器４４を挿入したとき、飲食容器４４は、底部を支持ガイド板２に支持され、この状態で、飲食容器４４の外周面と容器本体１の内周面との間に十分な通気空隙４５を形成する。そして、容器本体１の底部開口縁の近傍部、即ち、支持ガイド板２よりも下方に位置する周壁部分には、エア導入孔４６が開設されている。尚、図例の場合、容器本体１の周方向に細長く延びるエア導入孔４６を示しているが、小孔を容器本体１の周方向に列設することによりエア導入孔４６を構成しても良い。
【００２１】
上記実施形態に係る保温器の作用を図５に示している。カセット容器７に収容された反応剤４１は、図示矢印Ｆ１で示すように、開放口縁３８からガイドスリーブ４の収納室２３に向けて気化しつつ上昇し、加熱体３を通過する。この際、気化状態のガスは、加熱体３の触媒により酸化発熱反応を生じ、熱気として上昇する。上昇した熱気は、飲食容器４４の底部により上昇を遮られるが、支持ガイド板２にはガイド溝部１５が設けられているので、図示矢印Ｆ２で示すように、該ガイド溝部１５に沿って直径方向に流れ、前記通気空隙４５に至る熱気通路４７を形成し、図示矢印Ｆ３で示すような通気空隙４５を上昇する熱気流４７ａを生成せしめる。従って、容器本体１の上部開口に対する熱気の抜けが良好であるため、カセット容器７からの反応剤４１の気化上昇が促進され、触媒ヒータユニット３０を容器本体１の内部でほぼ閉塞せしめているにもかかわらず、良好な酸化発熱反応による加熱が可能になる。
【００２２】
また、図例の場合、支持ガイド板２のガイド溝部１５を加熱体３の上面よりも距離Ｓだけ上方に配置しているので、加熱体３を通過した直後の熱気が支持ガイド板２の下面に向けて広がると共に、図示矢印Ｆ４で示すように、支持ガイド板２の多数の貫通孔１３を介して上昇し、前記熱気流４７ａに合流する。更に、前述したようなガイド溝部１５に進入した熱気も、ガイド溝部１５の側壁に設けられた貫通孔１３を介して支持板部１４の下面に向けて広がり、支持板部１４の貫通孔１３を介して上昇し、前記熱気流４７ａに合流する。従って、熱気流４７ａは、飲食容器４４の全周面にわたり形成され、飲食容器４４を外周から加熱保温する。しかも、加熱体３と共に支持ガイド板２も加熱されているので、飲食容器４４の底部を加熱保温する。
【００２３】
カセット容器７からの反応剤４１の気化上昇は、外部の空気を容器本体１に取り込むことにより促進される。図５に矢印Ａ１で示すように、エア導入孔４６から進入したエアは、支持ガイド板２の貫通孔１３を介して熱気流４７ａに向けて抜ける。また、図示矢印Ａ２で示すようなカセット容器７の周囲から進入したエアは、ユニット板６の通孔４０を介して上昇し、支持ガイド板２の貫通孔１３を介して熱気流４７ａに向けて抜ける。このように、容器本体１の上部開口に向かう熱気の流通が促進され、その結果、ガイドスリーブ４の収納室２３が吸引され負圧化し、ガイドスリーブ４に設けた多数の小孔２８からエアを引き込むので、カセット容器７からの反応剤４１の気化上昇が促進される。
【００２４】
この際、飲食容器４４が予め温められていない場合は、触媒ヒータユニット３０により加熱される当初、結露を生じる。このような結露は、水滴として下方に滴下する。支持ガイド板２の支持板部１４に向けて滴下する水滴は、貫通孔１３を介して下方に落下し排出される。ガイド溝部１５に向けて滴下する水滴は、吸湿シート２９に吸収されるので、加熱体３に向けて進入することを阻止される。吸湿シート２９は、通気性に優れる素材により形成する場合は、図３に示すように加熱体３の上部を覆うものでも良いが、通気性に余り優れない素材により形成する場合は、図５に示すように分割し、加熱体３の上部を開放せしめるように構成しても良い。
【００２５】
ところで、臨海地帯や林間地帯のような屋外で保温器を使用する場合、強い横風を受けると、エア導入孔４６から進入するエアの風量と風力が強いため、反応剤４１から気化せしめられるガスが吹き飛ばされ、触媒ヒータユニット３０による所期の発熱を困難にする。この場合、使用者は、保護リング１０を容器本体１に取付けた状態で保温器を使用すれば良い。
【００２６】
図１に示すように、保護リング１０は、容器本体１の広口部４３に外挿されるリング部４８と、該リング部４８の下端縁において該広口部４３の下端段部４３ａに適合される内向きフランジ４９を備えており、容器本体１の外周面に沿って上下方向に摺動自在に構成されている。保護リング１０を広口部４３の外周に位置せしめた状態で保持するための係脱手段が設けられており、図例の場合、広口部４３の下端段部から上向きに延びる脱出溝５０ａと該脱出溝５０ａから周方向に延びる係止溝５０ｂを備えたほぼＬ形に延びる溝手段５０と、保護リング１０の内周面から突出して前記溝手段５０に嵌入される突起５１により係脱手段を構成している。従って、図６（Ａ）に示すように、突起５１を係止溝５０ａに係止した状態で保護リング１０を広口部４３の外周上に保持することができ、この状態から矢印Ｒで示すように保護リング１０を回動せしめ、突起５１を脱出溝５０ａに位置せしめると、図６（Ｂ）に示すように保護リング１０が容器本体１に沿って下降するので、リング部４８によりエア導入孔４６を外部から遮ることができる。保護リング１０の内向きフランジ４９は、容器本体１の広口部４３よりも下位の筒部の外周面に沿う内径となるように形成されているので、該保護リング１０の上下摺動をガイドすると共に、リング部４８と容器本体１の外周面との間に隙間５２を形成せしめる。従って、図６（Ｂ）に矢印Ａ３で示すように、外部から受ける横風のうち、迂回して隙間５２に進入するエアだけがエア導入孔４６の通過を許される。従って、容器本体１に内装された触媒ヒータユニット３０に向けて進入するエアの風量と風力が制御され、屋外使用時における触媒ヒータユニット３０の酸化発熱反応を最適条件に設定する。保護リング１０を図６（Ａ）に示すような元の状態に戻すためには、保護リング１０を容器本体１に沿って持ち上げ、突起５１を脱出溝５０ａに進入せしめた後、保護リング１０を矢印Ｒの反対方向に回動することにより突起５１を係止溝５０ｂに嵌入せしめれば良い。尚、保護リング１０の上昇位置と下降位置は、図６（Ａ）（Ｂ）の他、図４にも鎖線で示している。
【００２７】
保温容器を自動車等の車両における車内で可能とするために、吊持用保持具１１及び／又は載置用保持具１２がアタッチメントとして準備されている。
【００２８】
吊持用保持具１１は、図１に示すように、容器本体１の広口部４３よりも下位の筒部の外周面に沿う内径を有する保持リング５３と、該保持リング５３に突設されたブラケット５４に着脱自在に装着される保持爪手段５５とから構成されている。そこで、図７の右欄に示すように、保持リング５３を容器本体１の下端から外挿すると共に、広口部４３の下端段部４３ａに係止した状態で、該保持リング５３に取付けた保持爪手段５５を自動車等のエアコン吹出し口におけるルーバに挿脱自在に挿着することができる。即ち、保持爪手段５５をエアコン吹出し口のルーバに差し込むことにより、保持リング５３が固定されるので、該保持リング５３に対して容器本体１を抜き差し自在に保持することができる。そして、保持リング５３に保持された容器本体１に対して、缶４４ａやボトル４４ｂのような飲食容器４４を挿脱せしめることができる。尚、カセット容器７は、図示のように容器本体１の下方から着脱自在とされているので、随時、反応剤を補給することができる。
【００２９】
載置用保持具１２は、図１に示すようなネジ部５６を設けた円筒体５７から構成されている。周知のように、自動車等の車両の室内には、筒受部材から成る所謂カップホルダが設けられているが、カップホルダの内径は、缶４４ａやボトル４４ｂの外径に応じて設計されているため、本発明のように飲食容器４４に対して通気空隙４５を形成せしめるように大径に形成した容器本体１は、カップホルダに挿入することができない。このため、載置用保持具１２を構成する円筒体５７は、カップホルダに挿入自在となるように缶４４ａやボトル４４ｂとほぼ同径に形成されており、ユニット板６の下部に着脱自在に装着される。図例の場合、図４に鎖線で示すように、ネジ部５６をユニット板６の下側に突設したネジ筒部５８に対して着脱自在に螺着することにより、載置用保持具１２を容器本体１に固着し、容器本体１から下方に突出せしめるように構成しているが、載置用保持具１２は、固定リング９に着脱せしめるように構成しても良い。このようにして、図７の左欄に示すように、容器本体１の下方から突出する載置用保持具１２をカップホルダに挿入することができ、保持された容器本体１に対して、缶４４ａやボトル４４ｂのような飲食容器４４を挿脱せしめることができる。尚、カセット容器７は、図示のように容器本体１の下方から着脱自在とされているので、随時、反応剤を補給することができる。
【００３０】
本発明が上記実施形態の構成に限定されないことは勿論であり、種々の設計変更が可能である。更に、本発明の保温器を携帯するための袋、鞄又はケース等を提供すれば、便利となる。
【００３１】
【発明の効果】
本発明は、缶４４ａやボトル４４ｂ等のような飲食容器４４を挿脱自在に挿入せしめる上部開口状の筒状容器本体１と、該容器本体１の内部において飲食容器４４の底部を支持する支持ガイド板２と、該支持ガイド板２の下方に設けられた触媒ヒータ３０とから成り、飲食容器４４の外周面と容器本体１の内周面の間に通気空隙４５を形成せしめるように構成した保温器であり、前記触媒ヒータ３０は、少なくとも表面に触媒を設けた多数の通孔を上下貫通状に形成した加熱体３と、気化状態で前記加熱体３を通過する際に触媒により酸化発熱反応する反応剤４１を保有するカセット容器７とから構成され、前記支持ガイド板２は、熱伝導板により構成され、飲食容器４４の底部を支持する支持板部１４と、該支持板部１４から下向きに凹入されると共に直径方向に延びるガイド溝部１５を形成しており、触媒ヒータ３０の加熱体３から前記ガイド溝部１５を介して前記通気空隙４５に至る熱気通路４７を形成せしめた構成であるから、簡便かつ安全に使用することができ、飲食容器４４を長時間にわたり適度の温度で保温できるという効果がある。
【００３２】
特に、本発明によれば、触媒ヒータ３０における加熱体３の酸化発熱反応により発生する熱気が飲食容器４４の底部により上昇を遮られるが、支持ガイド板２にガイド溝部１５を設けることにより、熱気を該ガイド溝部１５に沿って直径方向に流動させ通気空隙４５に至らしめる熱気通路４７を形成しているので、通気空隙４５に沿って好適に上昇する熱気流４７ａを形成することができる。従って、容器本体１の上部開口に対する熱気の抜けが良好であるため、カセット容器７からの反応剤４１の気化上昇を促進することができ、触媒ヒータ３０を容器本体１の内部でほぼ閉塞せしめているにもかかわらず、所期の効果的な加熱を可能にするものとして極めて優れている。
【図面の簡単な説明】
【図１】本発明の１実施形態を示す分解斜視図である。
【図２】本発明の１実施形態における触媒ヒータユニットの一部を示しており、（Ａ）は加熱体と支持ガイド板を示す分解斜視図、（Ｂ）は加熱体と支持ガイド板の組付体を吸湿シート及びガイドスリーブとあわせて示す分解斜視図である。
【図３】触媒ヒータユニットを示す分解斜視図である。
【図４】保温器の１実施形態を示す縦断面図である。
【図５】作用を示す部分断面拡大図である。
【図６】保護リング１０の使用例を示しており、（Ａ）は保護リングの格納状態を示す斜視図、（Ｂ）は保護リングの使用状態を示す斜視図である。
【図７】アタッチメントとしての吊持用保持具及び載置用保持具の使用例を示す斜視図である。
【符号の説明】
１    容器本体
２    支持ガイド板
３    加熱体
４    ガイドスリーブ
５    保持筒
６    ユニット板
７    カセット容器
９    固定リング
１０    保護リング
１１    吊持用保持具
１２    載置用保持具
１３    貫通孔
１４    支持板部
１５    ガイド溝部
１６    窓孔
１７    保持板
２９    吸湿シート
３０    触媒ヒータユニット
４１    反応剤
４３    広口部
４４    飲食容器（飲料容器）
４４ａ  缶
４４ｂ  ボトル
４５    通気空隙
４６    エア導入孔
４７    熱気通路
４７ａ  熱気流
【図１】
0003694701.tif 000002
【図２】
0003694701.tif 000003
【図３】
0003694701.tif 000004
【図４】
0003694701.tif 000005
【図５】
0003694701.tif 000006
【図６】
0003694701.tif 000007
【図７】
0003694701.tif 000008